(57)【要約】【課題】刃物の摩耗に拘わらず、フィルム及び粘着層を基板表面から確実に剥離除去する。【解決手段】所定の間隔で配置され、基板表面に沿って移動されることにより、フィルム及び粘着層に対して所定の間隔で切り込みを形成する一対の側刃部３２と、一対の切り込みによって挟まれた領域におけるフィルム及び粘着層を、側刃部３２の移動に伴って基板表面から離れる方向に案内する案内部３３とを備えている。【選択図】図４
2008149423.tif 000002
【特許請求の範囲】
【請求項１】
基板表面に粘着層を介して貼り付けられているフィルムの一部を、上記基板から剥離するための刃物であって、
所定の間隔で配置され、上記基板表面に沿って移動されることにより、上記フィルム及び上記粘着層に対して上記所定の間隔で切り込みを形成する一対の側刃部と、
一対の上記切り込みによって挟まれた領域における上記フィルム及び上記粘着層を、上記側刃部の移動に伴って上記基板表面から離れる方向に案内する案内部とを備えている
ことを特徴とする刃物。
【請求項２】
請求項１において、
上記案内部は、上記一対の側刃部の内側面によって構成されている
ことを特徴とする刃物。
【請求項３】
請求項１において、
上記一対の側刃部は、移動方向の正面から見て逆ハの字に形成されると共に、該一対の側刃部同士の間隔が、刃先側から基端側へ向かうに連れて狭くなっている
ことを特徴とする刃物。
【請求項４】
請求項３において、
側方から見て上記基板表面に対して傾斜した状態で移動することにより、上記フィルムの一部を剥離するように構成されている
ことを特徴とする刃物。
【請求項５】
請求項１において、
上記一対の側刃部は、移動方向の正面から見て逆ハの字に形成されると共に、該一対の側刃部同士の間隔が、刃先側から基端側に亘って一定に形成されており、
側方から見て上記基板表面に対して傾斜した状態で移動することにより、上記フィルムの一部を剥離するように構成されている
ことを特徴とする刃物。
【請求項６】
請求項１において、
上記案内部の基端側に設けられ、剥離された上記フィルム及び上記粘着層を排出するための排出ガイドを備えている
ことを特徴とする刃物。
【請求項７】
請求項１において、
上記フィルムは偏光板である
ことを特徴とする刃物。
【請求項８】
請求項１において、
上記一対の側刃部によって刃先が構成されることにより、上記刃先が互いに分離した形状を有している
ことを特徴とする刃物。
【請求項９】
基板表面に粘着層を介して貼り付けられているフィルムの一部を、上記基板から剥離する剥離装置であって、
上記基板表面に沿って移動可能に設けられた移動ユニットと、
上記移動ユニットに取付固定された刃物とを備え、
上記刃物は、所定の間隔で配置され、上記基板表面に沿って移動されることにより、上記フィルム及び上記粘着層に対して上記所定の間隔で切り込みを形成する一対の側刃部と、一対の上記切り込みによって挟まれた領域における上記フィルム及び上記粘着層を、上記側刃部の移動に伴って上記基板表面から離れる方向に案内する案内部とを備えている
ことを特徴とする剥離装置。
【請求項１０】
請求項９において、
上記案内部は、上記一対の側刃部の内側面によって構成されている
ことを特徴とする剥離装置。
【請求項１１】
請求項９において、
上記一対の側刃部は、移動方向の正面から見て逆ハの字に形成されると共に、該一対の側刃部同士の間隔が、刃先側から基端側へ向かうに連れて狭くなっている
ことを特徴とする剥離装置。
【請求項１２】
請求項１１において、
上記刃物は、側方から見て上記基板表面に対して傾斜した状態で上記移動ユニットに保持されている
ことを特徴とする剥離装置。
【請求項１３】
請求項９において、
上記一対の側刃部は、移動方向の正面から見て逆ハの字に形成されると共に、該一対の側刃部同士の間隔が、刃先側から基端側に亘って一定に形成されており、
上記刃物は、側方から見て上記基板表面に対して傾斜した状態で上記移動ユニットに保持されている
ことを特徴とする剥離装置。
【請求項１４】
請求項９において、
上記刃物は、上記案内部の基端側に設けられると共に、剥離された上記フィルム及び上記粘着層を排出するための排出ガイドを備えている
ことを特徴とする剥離装置。
【請求項１５】
請求項９において、
上記フィルムは偏光板である
ことを特徴とする剥離装置。
【請求項１６】
請求項９において、
上記一対の側刃部によって刃先が構成されることにより、上記刃先が互いに分離した形状を有している
ことを特徴とする剥離装置。
【発明の詳細な説明】
【技術分野】
【０００１】
本発明は、例えば基板上のフィルムをその基板から帯状に剥離させる刃物、及びそれを備えた剥離装置に関する。
【背景技術】
【０００２】
表示パネルの表面には、位相差板や偏光板等の光学フィルムが貼り付けられる場合がある。例えば、液晶表示パネルには、偏光板等が貼り付けられ、液晶の機能と相まって表示が制御される。
【０００３】
ここで、液晶表示パネルは、ガラス基板上にＴＦＴ（Thin-Film Transistor）等が形成されたＴＦＴ基板と、ＣＦ（Color Filter）等が形成されたＣＦ基板と、これらＴＦＴ基板及びＣＦ基板の間に封入された液晶層とを有している。ＴＦＴ基板及びＣＦ基板は、その間に介在された枠状のシール部材によって互いに貼り付けられると共に、そのシール部材によって、液晶層が上記各基板の間に封止されている。ＴＦＴ基板及びＣＦ基板には、液晶層とは反対側の表面にフィルムである偏光板が粘着層を介して貼り付けられている。
【０００４】
このような液晶表示パネルを製造する方法として、互いに貼り合わされた一対の大型基板母材に複数の液晶表示パネルを一括形成した後に、これらを個々に分断する多面取り方法が知られている（例えば特許文献１等参照）。
【０００５】
特許文献１の多面取り方法では、複数の液晶表示パネルを含む基板母材に予め偏光板を一括して貼り付けた後に、ガラス基板の分断領域において偏光板を帯状の除去する。そうして、分断領域で露出したガラス基板に対し、ホイルカッターでスクライブ線を形成し、そのスクライブ線に沿って、各液晶表示パネルを分断する。
【０００６】
このガラス基板の分断は、剥離分断装置によって行うことが可能である。剥離分断装置には、偏光板を帯状の除去するための刃物と、刃物に隣接して配置されて上記スクライブ線を形成するためのホイルカッターとを有している。刃物及びホイルカッターは移動ユニットに装着されている。そうして、刃物の後をホイルカッターが追従して移動することによって、偏光板の剥離とスクライブ線の形成とを連続して行うようになっている。
【０００７】
図３２は、上記刃物の先端部分を拡大して示す平面図であり、図３３は、刃物の先端部分を拡大して示す斜視図である。図３２及び図３３に示すように、刃物１００の先端部は、底刃部１０１と、側刃部の左右両側に形成された一対の側刃部１０２とを有し、正面から見て凹字状に形成されている（例えば特許文献２等参照）。
【０００８】
図３４は、刃物１００によって偏光板１０３を粘着層１０４と共に剥離する状態を示す側面図である。図３５は図３４における刃物１００の先端を拡大して示す断面図である。
【０００９】
図３４に示すように、偏光板１０３及び粘着層１０４は、刃物１００の先端がガラス基板１０５の表面に沿って移動することにより、一対の側刃部１０２によって偏光板に所定の幅で切り込みが形成されると共に、その切り込みが形成された内側において底刃部１０１が差し込まれてガラス基板１０５から剥離される。すなわち、粘着層１０４は、底刃部１０１によってこそぎ取られる。その結果、刃物１００が通過したガラス基板１０５の表面は、偏光板１０３及び粘着層１０４が剥離除去されて露出することとなる。
【特許文献１】特開２００４−４６３６号公報
【特許文献２】特開２００４−２３０５０２号公報
【発明の開示】
【発明が解決しようとする課題】
【００１０】
ところが、刃物は使用に伴って摩耗することが避けられない。刃物１００の先端の拡大図である図３６に示すように、刃物１００は、底刃部１０１の先端と、側刃部１０２の下端（つまりガラス基板に接触する部分）とが、特に摩耗しやすい。底刃部１０１の先端が摩耗すると、図３６に示すように、その底刃部１０１の先端が、粘着層１０４とガラス基板１０５との界面ではなくて、粘着層１０４の厚み方向中間位置に差し込まれてしまう。
【００１１】
その結果、粘着層１０４の一部が底刃部１０１の下方（ガラス基板側）に潜り込むことにより粘着層１０４が上下に分断され、ガラス基板１０５の表面に残ってしまうという問題がある。ガラス基板１０５の表面に粘着層１０４が残っていると、ホイルカッターによりスクライブ線を確実に形成することができず、液晶表示パネルの分断不良を引き起こすことにもなる。さらに、残った粘着層１０４に塵が付着して、分断後の液晶表示パネルを汚してしまうという問題もある。
【００１２】
本発明は、斯かる諸点に鑑みてなされたものであり、その目的とするところは、刃物の摩耗に拘わらず、フィルム及び粘着層を基板表面から確実に剥離除去しようとすることにある。
【課題を解決するための手段】
【００１３】
上記の目的を達成するために、この発明では、刃先を一対の側刃部により構成するようにした。
【００１４】
具体的に、本発明に係る刃物は、基板表面に粘着層を介して貼り付けられているフィルムの一部を、上記基板から剥離するための刃物であって、所定の間隔で配置され、上記基板表面に沿って移動されることにより、上記フィルム及び上記粘着層に対して上記所定の間隔で切り込みを形成する一対の側刃部と、上記一対の切り込みによって挟まれた領域における上記フィルム及び上記粘着層を、上記側刃部の移動に伴って上記基板表面から離れる方向に案内する案内部とを備えている。
【００１５】
上記案内部は、上記一対の側刃部の内側面によって構成されていることが好ましい。
【００１６】
上記一対の側刃部は、移動方向の正面から見て逆ハの字に形成されると共に、該一対の側刃部同士の間隔が、刃先側から基端側へ向かうに連れて狭くなっていてもよい。
【００１７】
さらに、側方から見て上記基板表面に対して傾斜した状態で移動することにより、上記フィルムの一部を剥離するように構成されていることが好ましい。
【００１８】
上記一対の側刃部は、移動方向の正面から見て逆ハの字に形成されると共に、該一対の側刃部同士の間隔が、刃先側から基端側に亘って一定に形成されており、側方から見て上記基板表面に対して傾斜した状態で移動することにより、上記フィルムの一部を剥離するように構成されていてもよい。
【００１９】
上記案内部の基端側に設けられ、剥離された上記フィルム及び上記粘着層を排出するための排出ガイドを備えていることが好ましい。
【００２０】
上記フィルムは偏光板であることが好ましい。
【００２１】
上記一対の側刃部によって刃先が構成されることにより、上記刃先が互いに分離した形状を有していることが望ましい。
【００２２】
また、本発明に係る剥離装置は、基板表面に粘着層を介して貼り付けられているフィルムの一部を、上記基板から剥離する剥離装置であって、上記基板表面に沿って移動可能に設けられた移動ユニットと、上記移動ユニットに取付固定された刃物とを備え、上記刃物は、所定の間隔で配置され、上記基板表面に沿って移動されることにより、上記フィルム及び上記粘着層に対して上記所定の間隔で切り込みを形成する一対の側刃部と、一対の上記切り込みによって挟まれた領域における上記フィルム及び上記粘着層を、上記側刃部の移動に伴って上記基板表面から離れる方向に案内する案内部とを備えている。
【００２３】
上記案内部は、上記一対の側刃部の内側面によって構成されていることが好ましい。
【００２４】
上記一対の側刃部は、移動方向の正面から見て逆ハの字に形成されると共に、該一対の側刃部同士の間隔が、刃先側から基端側へ向かうに連れて狭くなっていてもよい。
【００２５】
さらに、上記刃物は、側方から見て上記基板表面に対して傾斜した状態で上記移動ユニットに保持されていることが好ましい。
【００２６】
上記一対の側刃部は、移動方向の正面から見て逆ハの字に形成されると共に、該一対の側刃部同士の間隔が、刃先側から基端側に亘って一定に形成されており、上記刃物は、側方から見て上記基板表面に対して傾斜した状態で上記移動ユニットに保持されていてもよい。
【００２７】
上記刃物は、上記案内部の基端側に設けられると共に、剥離された上記フィルム及び上記粘着層を排出するための排出ガイドを備えていることが好ましい。
【００２８】
上記フィルムは偏光板であることが好ましい。
【００２９】
上記一対の側刃部によって刃先が構成されることにより、上記刃先が互いに分離した形状を有していることが望ましい。
【００３０】
−作用−
次に、本発明の作用について説明する。
【００３１】
基板表面には、粘着層を介して例えば偏光板等のフィルムが貼り付けられている。これに対し、刃物を基板表面に沿って移動させることによって、フィルムの一部を基板から剥離する。
【００３２】
すなわち、刃物の刃先がフィルム及び粘着層に差し込まれた際には、フィルム及び粘着層に、刃先を構成する一対の側刃部によって切り込みが形成される。このとき、一対の側刃部によって刃先が構成されることにより、刃先が互いに分離した形状を有していることが望ましい。一対の側刃部は所定の間隔で配置されているので、切り込みもその所定の間隔で形成される。
【００３３】
そのように、刃先がフィルム及び粘着層に差し込まれた状態で側刃部が移動することにより（つまり刃物が移動することにより）、切り込みが側刃部の移動方向に延びるように形成されると共に、その一対の切り込みによって挟まれた領域におけるフィルム及び粘着層は、刃物の案内部によって基板表面から離れる方向に案内される。
【００３４】
案内部は、例えば一対の側刃部の内側面によって構成すれば、その内側面に沿って上記フィルム及び粘着層を好適に案内することが可能になる。その結果、切り込みの間の領域におけるフィルムは、その同じ領域で重なっている粘着層と共に基板から帯状に剥離されることとなる。
【００３５】
本発明に係る刃物は、従来のような基板と粘着層との間に差し込まれる底刃部を有していないので、仮に、刃先が摩耗したとしても、切り込みを形成する側刃部が摩耗するだけである。すなわち、刃物によって粘着層をその厚み方向の中間位置で上下に分断することもないため、粘着層をフィルムと共に剥離除去して、基板表面から確実に除去することが可能となる。
【００３６】
刃物の構成としては、一対の側刃部を、正面から見て逆ハの字に形成すると共に、その間隔を刃先側から基端側に向かうに連れて狭くすることが可能である。すなわち、側刃部の移動に伴って一対の側刃部の間に形成された帯状のフィルム及び粘着層は、側刃部の移動に伴って刃物の刃先側から基端側へ相対移動する。ところが、上記一対の側刃部が逆ハの字に傾斜して形成されると共にその間隔が基端側へ向かうに連れて狭くなっているので、上記帯状のフィルム及び粘着層は、その切り込みによって形成された側面が、基端側への相対移動に伴って上記一対の側刃部の内側面に当接した状態で基板表面から離れるように案内される。その結果、帯状のフィルムが粘着層と共に基板表面から剥離除去される。つまり、この場合には、一対の側刃部の内側面によって案内部が構成される。
【００３７】
さらに、この構成において上記刃物が側方から見て基板表面に対して傾斜した状態で移動するように構成されていれば、刃先を確実に基板表面に接触させることが可能となるため、フィルム及び粘着層が適切に剥離される。
【００３８】
また、他の刃物の構成としては、一対の側刃部を、正面から見て逆ハの字に形成すると共に、その間隔を刃先側から基端側に亘って一定に形成し、側方から見て基板表面に対して傾斜した状態で移動させるように構成することが可能である。側刃部の移動に伴って帯状のフィルム及び粘着層は、刃物の基端側へ相対移動する。側刃部同士の間隔が一定であるものの、刃物自体が傾斜しているので、上記帯状のフィルム及び粘着層は、傾斜している側刃部の内側面によって基板表面から離れるように案内される。すなわち、この場合にも、案内部は一対の側刃部の内側面によって構成されることとなる。
【００３９】
さらに、案内部のさらに基端側に、剥離されたフィルム及び粘着層を外部へ排出するための排出ガイドを設けることも可能である。このようにすれば、剥離されたフィルム及び粘着層の基板表面への再付着が抑制される。
【００４０】
上記刃物は、例えばフィルムの一部を基板から剥離する剥離装置に装着することが可能である。すなわち、剥離装置は、刃物が取付固定される移動ユニットを備える。そうして、移動ユニットが基板表面に沿って移動することによって、刃物も基板表面に沿って移動することとなる。その結果、上述のように、フィルム及び粘着層が基板表面から剥離除去される。
【発明の効果】
【００４１】
本発明によれば、刃先を一対の側刃部により構成すると共にフィルム及び粘着層の案内部を設けることにより、仮に刃物が摩耗したとしても粘着層をその厚み方向の中間位置で上下に分断させないようにすることができるため、刃物の摩耗に拘わらず、フィルム及び粘着層を基板表面から確実に剥離除去することができる。
【発明を実施するための最良の形態】
【００４２】
以下、本発明の実施形態を図面に基づいて詳細に説明する。尚、本発明は、以下の実施形態に限定されるものではない。
【００４３】
《発明の実施形態１》
図１〜図１４は、本発明の実施形態１を示している。図１〜図３は、それぞれ実施形態１の刃物３０を模式的に示す平面図、正面図及び側面図である。図４〜図７は、それぞれ実施形態１の刃物３０を示す平面図、正面図、側面図及び底面図である。図８は偏光板１８及び粘着層１７を剥離する刃物３０を示す側面図である。図９は剥離装置Ｓの要部を示す斜視図である。
【００４４】
また、図１０は液晶表示パネル１０の一部を拡大して示す断面図である。図１１は互いに貼り合わされるガラス基板母材２１，２２を示す斜視図である。図１２は貼合せ基板４１を示す平面図である。図１３は液晶充填工程における貼合せ基板４１を示す説明図である。図１４は液晶材料が充填された貼合せ基板４１を示す平面図である。
【００４５】
まず、液晶表示パネル１０について、図１０を参照して説明する。
【００４６】
液晶表示パネル１０は、ＴＦＴ（Thin-Film Transistor）等が形成されたＴＦＴ基板１１と、ＣＦ（Color Filter）等が形成されたＣＦ基板１２と、これらＴＦＴ基板１１及びＣＦ基板１２の間に封入された液晶層１３とを有している。ＴＦＴ基板１１及びＣＦ基板１２は、その間に介在された枠状のシール部材１４によって互いに貼り付けられると共に、そのシール部材１４によって、液晶層１３が上記各基板１１，１２の間に封止されている。
【００４７】
上記ＴＦＴ基板１１を構成するガラス基板１５の液晶層１３側には、上記ＴＦＴ等が形成されている。一方、ガラス基板１５の液晶層１３と反対側の表面には、フィルムである偏光板１８が粘着層１７を介して貼り付けられている。また、上記ＣＦ基板１２を構成するガラス基板１６の液晶層１３側には、上記ＣＦ等が形成されている。一方、ガラス基板１６の液晶層１３と反対側の表面にも、偏光板１８が同じく粘着層１７を介して貼り付けられている。
【００４８】
上記液晶表示パネル１０は、図１１に示すような貼合せ基板母材２０を複数の領域に分断して形成される。貼合せ基板母材２０は、ＴＦＴ基板１１が複数マトリクス状に配置されて集合したガラス基板母材２１と、ＣＦ基板１２が同じく複数マトリクス状に配置されて集合したガラス基板母材２２とが互いに貼り合わされて構成されている。貼合せ基板母材２０は、複数の貼合せ基板４１の集合体である。
【００４９】
これらのガラス基板母材２１，２２の間には、複数のシール部材１４が形成されている。各シール部材１４は略矩形枠状に構成され、その一部が途切れて形成されることで、その途切れた部分が液晶の注入口２３になっている。さらに、図１１では省略しているが、貼合せ基板母材２０の外側表面には、偏光板１８がそれぞれ粘着層１７を介して貼り付けられている。
【００５０】
本実施形態１の剥離装置Ｓは、図９に示すように、上記貼合せ基板母材２０を分断する際に用いられる。剥離装置Ｓは、貼合せ基板母材２０の表面に貼り付けられている偏光板１８の一部を、その貼合せ基板母材２０から剥離する剥離装置の機能だけでなく、貼合せ基板母材２０を分断するためのスクライブ線を形成する機能をも有している。すなわち、剥離装置Ｓは剥離分断装置であるともいえるが、本実施形態では剥離装置Ｓと称することとする。
【００５１】
剥離装置Ｓは、図示を省略するが、貼合せ基板母材２０を支持する支持台（図示省略）と、移動ユニット２５と、移動ユニット２５に取付固定された刃物３０とを備えている。移動ユニット２５は、図９で矢印２６に示すように、貼合せ基板母材２０の表面に沿って移動可能に設けられている。
【００５２】
さらに、剥離装置Ｓは、ガラス基板母材２２の表面にスクライブ線を形成するためのホイルカッター２７を備えている。ホイルカッター２７及び刃物３０は、移動ユニット２５の移動方向２６にこの順で並んで配置されている。ホイルカッター２７は、カッター支持部材２８を介して移動ユニット２５に固定され、回転しながらガラス基板母材２２の表面に亀裂を形成するように構成されている。さらに、剥離装置Ｓには、移動ユニット２５の位置を検知するためのセンサ２９が配置されている。
【００５３】
一方、刃物３０は、支持部材３１を介して移動ユニット２５に固定されている。刃物３０は、側方（すなわち、貼合せ基板母材２０の表面に水平で且つ移動方向２６に直交する方向）から見て、貼合せ基板母材２０の表面に対して傾斜した状態で支持部材３１に保持されている。こうして、移動ユニット２５が移動することによって、偏光板１８を帯状に除去する刃物３０の後を追ってホイルカッター２７が回転しながら移動し、ガラス基板母材２２を分断するためのスクライブ線を形成するようになっている。
【００５４】
次に、刃物３０の構成について説明する。
【００５５】
刃物３０は、貼合せ基板母材２０の表面に粘着層１７を介して貼り付けられている偏光板１８の一部を、上記貼合せ基板母材２０から剥離するように構成されている。図１〜図７に示すように、刃物３０は、一対の側刃部３２と、案内部３３とを備えている。さらに、刃物３０は案内部３３の基端３５側に排出ガイド３６を備えている。
【００５６】
すなわち、一対の側刃部３２は、図１に示すように、所定の間隔Ａで配置され、貼合せ基板母材２０の表面に沿って移動されることにより、偏光板１８及び粘着層１７に対して上記所定の間隔Ａで切り込みを形成するように構成されている。
【００５７】
上記一対の側刃部３２は、図１に示すようにそれぞれ略矩形板状に形成されると共に、図２及び図５に示すように移動方向２６の正面から見て逆ハの字に形成されている。言い換えれば、一対の側刃部３２は、正面から見てガラス基板母材２１，２２からその法線方向へ離れるに連れて広がるように形成されている。この一対の側刃部３２の内側面が成す角度αは、例えば６０°〜１００°程度に規定することが好ましい。ただし、角度αはこれに限定されるものではなく、大きいほど偏光板１８等を容易に剥離することができる。さらに、上記一対の側刃部３２同士の間隔Ａは、図１に示すように、刃先３４側から基端３５側に亘って一定になっている。
【００５８】
そうして、各側刃部３２の先端によって刃先３４が形成されている。すなわち、刃物３０は、刃先３４が一対の側刃部３２により構成されることによって、その刃先３４が互いに分離した形状を有している。したがって、刃物３０の刃先３４には、粘着層１７とガラス基板母材２２との間に差し込まれる従来の底刃部に相当する部分がない。
【００５９】
案内部３３は、一対の側刃部３２の内側面によって構成され、正面から見て逆ハの字状の傾斜面によって形成されている。そのことにより、一対の切り込みによって挟まれた領域における偏光板１８及び粘着層１７を、側刃部３２の移動に伴って貼合せ基板母材２０の表面から離れる方向に案内するように構成されている。
【００６０】
また、各側刃部３２の基端３５側には、図１及び図４に示すように互いに繋がるようにして排出ガイド３６が形成されている。すなわち、排出ガイド３６は、案内部３３の基端３５側に設けられ、剥離された偏光板１８及び粘着層１７を外部へ排出するように構成されている。
【００６１】
図４〜図７に示すように、排出ガイド３６は、例えば、案内部３３と同様に、正面から見て逆ハの字状の傾斜面によって形成することが可能である。このとき、排出ガイド３６の傾斜面と案内部３３の傾斜面とはそれぞれ同じ平面を構成する。一方、図１〜図３に示すように、排出ガイド３６は、例えば、各側刃部３２の内側面に交差する平面によって形成することも可能である。
【００６２】
尚、排出ガイド３６は必ずしも設ける必要はなく、刃物３０の平面図、正面図及び側面図である図１５〜図１７に示すように、互いに分離した一対の側刃部３２によって刃物３０を構成するようにしてもよい。ただし、排出ガイド３６を設けて各側刃部３２同士を連結する形状とすれば、刃物３０の形状が簡単になる点で好ましい。
【００６３】
そうして、上記刃物３０は、図８に示すように、側方から見て貼合せ基板母材２０の表面に対して角度βだけ傾斜した状態で移動することにより、偏光板１８の一部を剥離するように構成されている。
【００６４】
−製造方法−
次に、液晶表示パネル１０の製造方法について説明する。本実施形態１の製造方法は、いわゆる多面取りによる製造方法である。
【００６５】
まず、図１１に示すように、貼合せ基板母材２０を形成する。すなわち、大型のガラス基板母材２１の一方の表面に対し、ＴＦＴや配線等（図示省略）をパターン形成すると共に配向膜（図示省略）を形成する。さらに、その配向膜が形成されたガラス基板母材２１の表面に、後に複数の液晶表示パネル１０（貼合せ基板４１）となる領域毎にシール部材１４を描画して形成する。シール部材１４は、略矩形枠状に形成するが、閉じた枠状ではなく、その一部を途切れさせることによって、液晶の注入口２３とする。
【００６６】
一方、大型のガラス基板母材２２の一方の表面に対し、ＣＦや共通電極等（図示省略）を形成すると共に配向膜（図示省略）を形成する。その後、上記各ガラス基板母材２１，２２同士を、上記配向膜同士が対向するようにして貼り合わせる。すなわち、各ガラス基板母材２１，２２同士の間には、シール部材１４が介在されることとなる。そうして、各ガラス基板母材２１，２２の間でシール部材１４によって囲まれた空間が、後に液晶が封入される空間（本実施形態１では「液晶セル」という。）となる。シール部材１４には、例えば熱硬化性樹脂等を適用することができる。
【００６７】
続いて、上記各ガラス基板母材２１，２２を加熱することによって上記シール部材１４を硬化させる。そのことにより、各ガラス基板母材２１，２２同士を互いに接着固定させる。その後、ガラス基板母材２１，２２の外側表面（つまりシール部材１４とは反対側の表面）に、粘着層１７を介して偏光板１８を一様に貼り付ける。そうして、貼合せ基板母材２０を形成する。
【００６８】
その後、上記剥離装置Ｓを用いて上記貼合せ基板母材２０を分断することにより、複数の貼合せ基板４１を形成する。
【００６９】
まず、図９に示すように、貼合せ基板母材２０を剥離装置Ｓの支持台（図示省略）の上に載置固定し、移動ユニット２５を貼合せ基板母材２０の表面に平行な方向である矢印２６の方向に移動させる。このとき、移動ユニット２５の位置はセンサ２９によって検知される。
【００７０】
移動ユニット２５を移動させることによって、刃物３０が移動して偏光板１８及び粘着層１７を帯状に剥離除去させる。ホイルカッター２７は、刃物３０の後を追従して移動することにより、偏光板１８及び粘着層１７が除去されて帯状に露出した貼合せ基板母材２０の表面を走査し、スクライブ線４０を形成する。
【００７１】
ここで、刃物３０による偏光板１８及び粘着層１７の剥離動作について、詳細に説明する。
【００７２】
すなわち、刃物３０の刃先３４が偏光板１８及び粘着層１７に差し込まれた際には、偏光板１８及び粘着層１７に、一対の側刃部３２によって一対の切り込みが形成される。各側刃部３２は所定の間隔Ａで配置されているので、切り込みもその所定の間隔Ａで形成される。その状態で、側刃部３２が移動することにより（つまり刃物３０が移動することにより）、切り込みが側刃部３２の移動方向に延びて形成されると共に、一対の切り込みによって挟まれた領域における偏光板１８及び粘着層１７が、刃物３０の案内部３３によって案内される。
【００７３】
本実施形態１では、一対の側刃部３２を、正面から見て逆ハの字に形成すると共に、その間隔Ａを刃先３４側から基端３５側に亘って一定に形成し、さらに、刃物３０を側方から見て貼合せ基板母材２０の表面に対して傾斜した状態で保持している。加えて、案内部３３を一対の側刃部３２の内側面によって構成しているので、帯状の偏光板１８及び粘着層１７は、図８に示すように、刃物３０の刃先３４側から基端３５側への相対移動に伴って、傾斜している側刃部３２の内側面（案内部３３）に沿って、貼合せ基板母材２０の表面から離れるように案内される。その結果、偏光板１８の一部は、その偏光板１８に重なっている粘着層１７と共に、貼合せ基板母材２０の表面から帯状に連続的に剥離されることとなる。
【００７４】
尚、仮に、一対の側刃部３２が正面から見て逆ハの字ではなく平行に配置されているとすれば、偏光板１８及び粘着層１７を貼合せ基板母材２０の表面から離れる方向に外力が加わらないので、単に、一対の切り込みが形成されるだけになってしまう。
【００７５】
上記刃物３０には、さらに案内部３３の基端側に排出ガイド３６が設けられているため、剥離された偏光板１８及び粘着層１７が、外部へ排出されて貼合せ基板母材２０の表面への再付着が抑制される。
【００７６】
こうして、刃物３０が通過したガラス基板母材２２の表面には、偏光板１８及び粘着層１７が除去された除去領域３９が帯状に形成され、その除去領域３９の中央をホイルカッター２７が回転しながら通過する。そのことにより、除去領域３９の中央にスクライブ線４０が形成される。以上のような除去領域３９及びスクライブ線４０の形成は、複数の液晶セル同士の間で行われる。
【００７７】
さらに、貼合せ基板母材２０の裏面側のガラス基板母材２１に対しても、上記と同様に、除去領域３９及びスクライブ線４０の形成を行う。その後、貼合せ基板母材２０をスクライブ線４０に沿って分断し、図１２に示すような複数の貼合せ基板４１を形成する。
【００７８】
貼合せ基板４１は、上述の工程によって、２枚のガラス基板がシール部材１４によって互いに貼り合わされて形成されている。貼合せ基板４１のにおけるシール部材１４の内側には液晶セル４２が形成されている。貼合せ基板４１の一方の端面には、注入口２３が形成されている。
【００７９】
その後、真空注入法によって、貼合せ基板４１の液晶セル４２に液晶を注入する。まず、貼合せ基板４１を真空装置（図示省略）の内部に配置して、液晶セル４２の内部及び外部を共に真空状態にする。続いて、図１３に示すように、注入口２３を液晶４３に浸す。この状態で、真空装置の内部を徐々に大気圧に戻す。液晶４３は、液晶セル４２の内外の圧力差と毛細管現象によって、図１３で矢印４４に示すように、液晶セル４２の内部に隙間なく充填される。
【００８０】
その後、図１４に示すように、注入口２３を封止樹脂４５によって封止する。封止樹脂４５には、例えば紫外線硬化性樹脂を適用することが可能である。この場合、紫外線を封止樹脂４５に照射することによって封止樹脂４５を硬化させる。そうして、シール部材１４で囲まれた領域に液晶４３を封入して、液晶層１３を形成することができる。以上の工程によって、液晶表示パネル１０が製造される。
【００８１】
−実施形態１の効果−
したがって、この実施形態１によると、刃物３０の刃先３４を一対の側刃部３２により構成することで互いに分離した形状にすると共に偏光板１８及び粘着層１７の案内部３３を設けるようにしたので、以下に詳述するように、刃物３０の摩耗に拘わらず、偏光板１８及び粘着層１７を貼合せ基板母材２０の表面から確実に剥離除去することができる。
【００８２】
すなわち、本実施形態１の刃物３０は、刃先３４が一対の側刃部３２により構成されることによって、その刃先３４が互いに分離した形状を有しており、従来のようなガラス基板母材２１，２２と粘着層１７との間に差し込まれるヘラ状の底刃部を刃先３４に有していないので、仮に、刃先３４が摩耗したとしても、切り込みを形成する側刃部３２の先端が摩耗するだけである。すなわち、摩耗した刃物３０によって粘着層１７をその厚み方向の中間位置で上下に分断することもないため、粘着層１７を偏光板１８と共に剥離除去して、ガラス基板母材２１，２２の表面から確実に除去することができる。
【００８３】
その結果、ガラス基板母材２１，２２の表面に粘着層１７が残らないために、ホイルカッター２７によりスクライブ線４０を確実に形成でき、ガラス基板母材２１，２２の表面への塵の付着を防止して分断後の液晶表示パネル１０の汚染を抑制することができる。
【００８４】
さらに、本実施形態１では、一対の側刃部３２を、正面から見て逆ハの字に形成すると共に、その間隔Ａを刃先３４側から基端３５側に亘って一定に形成している。さらに、刃物３０を側方から見て貼合せ基板母材２０の表面に対して傾斜した状態で保持すると共に、案内部３３を一対の側刃部３２の内側面によって構成している。このように刃物３０を構成することにより、帯状の偏光板１８及び粘着層１７を、図８に示すように、刃物３０の刃先３４側から基端３５側への相対移動に伴って、傾斜している側刃部３２の内側面（案内部３３）に沿って、貼合せ基板母材２０の表面から離れるように案内することができる。その結果、偏光板１８の一部を、その偏光板１８に重なっている粘着層１７と共に、貼合せ基板母材２０の表面から帯状に連続的に剥離することができる。
【００８５】
加えて、案内部３３の基端側に排出ガイド３６を形成するようにしたので、剥離された偏光板１８及び粘着層１７を、刃物３０の外部へ排出することができるため、剥離除去した偏光板１８等の貼合せ基板母材２０の表面への再付着を抑制することができる。
【００８６】
《発明の実施形態２》
図１８〜図２３は、本発明の実施形態２を示している。尚、以降の各実施形態では、図１〜図１４と同じ部分については同じ符号を付して、その詳細な説明を省略する。
【００８７】
図１８〜図２０は、それぞれ実施形態２の刃物３０を模式的に示す平面図、正面図及び側面図である。図２１〜図２３は、それぞれ実施形態２の刃物３０によって偏光板１８及び粘着層１７を剥離する状態を模式的に示す平面図、正面図及び側面図である。
【００８８】
上記実施形態１では、刃物３０における一対の側刃部３２の間隔Ａが刃先３４側から基端３５側に亘って一定にしていたのに対し、本実施形２では、その間隔Ａが刃先３４側から基端３５側へ向かうに連れて狭くなっている。
【００８９】
すなわち、本実施形態２の側刃部３２の内側面も上記実施形態１と同様に平面状に形成されており、図１９に示すように、移動方向の正面から見て逆ハの字に形成されると共に、その逆ハの字の間隔Ａが刃先３４側から基端３５側へ向かって狭くなっている。
【００９０】
また、上記実施形態１では、刃物３０をガラス基板母材２１，２２の表面に対して角度βだけ傾斜させた状態で移動させるようにしたのに対し、本実施形態２では、図２３に示すように、刃物３０を傾けずにガラス基板母材２１，２２の表面に接触させた状態で移動させるようになっている。
【００９１】
次に、本実施形態２の刃物３０による偏光板１８及び粘着層１７の剥離動作について説明する。
【００９２】
刃物３０の刃先３４が偏光板１８及び粘着層１７に差し込まれた際には、偏光板１８及び粘着層１７に、一対の側刃部３２によって一対の切り込みが形成される。この一対の切り込みの間隔は、図２１及び図２２に示すように、刃先３４における側刃部３２同士の間隔ａに形成される。
【００９３】
側刃部３２の移動に伴って一対の側刃部３２の間に形成された帯状の偏光板１８及び粘着層１７は、側刃部３２の移動に伴って刃物３０の刃先３４側から基端３５側へ相対移動する。ところが、上記一対の側刃部３２が逆ハの字に傾斜して形成されると共に、その間隔Ａが基端３５側へ向かうに連れて間隔ａよりも徐々に狭くなっているので、上記帯状の偏光板１８及び粘着層１７は、図２１〜図２３に示すように、切り込みによって形成された側面が、基端３５側への相対移動に伴って上記一対の側刃部３２の内側面に当接した状態でガラス基板母材２１，２２の表面から離れるように案内される。
【００９４】
仮に、一対の側刃部３２が正面から見て逆ハの字ではなく平行に配置されているとすれば、一対の切り込みの間の偏光板１８及び粘着層１７は変形して基端３５側に送り出されるか、若しくは基端３５側に送り出されずに刃物３０の内側で詰まってしまう。本実施形態２では、一対の側刃部３２が逆ハの字に配置されているため、帯状の偏光板１８及び粘着層１７がガラス基板母材２１，２２の表面から離れる方向に逃げるように押し出される。その結果、偏光板１８及び粘着層１７が貼合せ基板母材２０の表面から自然に剥がれることとなる。
【００９５】
したがって、本実施形態２においても、案内部３３は一対の側刃部３２の内側面によって構成される。そうして、本実施形態２によっても、上記実施形態１と同様の効果を得ることができる。
【００９６】
《発明の実施形態３》
図２４〜図３１は、本発明の実施形態３を示している。
【００９７】
図２４〜図２６は、それぞれ実施形態３の刃物３０を模式的に示す平面図、正面図及び側面図である。図２７〜図３０は、排出ガイド３６を備える実施形態３の刃物３０を示す平面図、正面図、側面図及び底面図である。図３１は、偏光板１８等を剥離する実施形態３の排出ガイド３６を備えた刃物３０を示す側面図である。
【００９８】
上記実施形態２では、刃物３０を傾けずにガラス基板母材２１，２２の表面に接触させた状態で移動させるようにしたが、本実施形態３の刃物３０は、図２６及び図３１に示すように、刃物３０をガラス基板母材２１，２２の表面に対して角度βだけ傾斜した状態で移動させるようにしている。
【００９９】
すなわち、図２４〜図２６に示すように、刃物３０の側刃部３２は、移動方向の正面から見て逆ハの字に形成されると共に、その間隔Ａが刃先３４側から基端３５側へ向かって狭くなっていることに加え、側方から見て刃物３０がガラス基板母材２１，２２の表面に対して角度βだけ傾斜した状態で移動するようになっている。
【０１００】
このようにしても、上記実施形態１及び２と同様の効果を得ることが得きる。そのことに加え、刃物３０を角度βだけ傾斜させるようにしたので、刃先３４のガラス基板母材２１，２２の表面に安定且つ確実に接触させることができるため、偏光板１８及び粘着層１７の剥離を確実に行うことが可能になる。
【０１０１】
さらに、図２７〜図３１に示すように、刃物３０に排出ガイド３６を設ける場合には、上記実施形態１と同様に、各側刃部３２同士を連結することができ、刃物３０の形状を簡単にすることが可能になる。排出ガイド３６は、図２９に示すように、側方から見て円弧状に形成されている。このようにすれば、図３１に示すように、剥離除去された帯状の偏光板１８及び粘着層１７を円滑に排出させることが可能になる。
【０１０２】
《その他の実施形態》
上記各実施形態では、ガラス基板を基板の一例に挙げて説明したが、本発明はこれに限らず、例えばプラスチック基板等の他の基板についても同様に適用することができる。また、偏光板１８をフィルムの例として説明したが、本発明はこれに限らず、例えば位相差板等の他のフィルムを剥離する刃物について同様に適用することができる。
【０１０３】
また、剥離装置Ｓは、偏光板及び粘着層を剥離する機能と、貼合せ基板母材２０に分断のためのスクライブ線を形成する機能とを有している例について説明したが、本発明はこれに限定されず、少なくとも上記剥離する機能を有していればよい。
【産業上の利用可能性】
【０１０４】
以上説明したように、本発明は、刃物及びそれを備えた剥離装置について有用であり、特に、刃物の摩耗に拘わらず、フィルム及び粘着層を基板表面から確実に剥離除去する場合に適している。
【図面の簡単な説明】
【０１０５】
【図１】図１は、実施形態１の刃物を模式的に示す平面図である。
【図２】図２は、実施形態１の刃物を模式的に示す正面図である。
【図３】図３は、実施形態１の刃物を模式的に示す側面図である。
【図４】図４は、実施形態１の刃物の外観を示す平面図である。
【図５】図５は、実施形態１の刃物の外観を示す正面図である。
【図６】図６は、実施形態１の刃物の外観を示す側面図である。
【図７】図７は、実施形態１の刃物の外観を示す底面図である。
【図８】図８は、偏光板及び粘着層を剥離する刃物を示す側面図である。
【図９】図９は、剥離装置の要部を示す斜視図である。
【図１０】図１０は、液晶表示パネルの一部を拡大して示す断面図である。
【図１１】図１１は、互いに貼り合わされるガラス基板母材を示す斜視図である。
【図１２】図１２は、貼合せ基板を示す平面図である。
【図１３】図１３は、液晶充填工程における貼合せ基板を示す説明図である。
【図１４】図１４は、液晶材料が充填された貼合せ基板を示す平面図である。
【図１５】図１５は、実施形態１の刃物の他の構成を模式的に示す平面図である。
【図１６】図１６は、実施形態１の刃物の他の構成を模式的に示す正面図である。
【図１７】図１７は、実施形態１の刃物の他の構成を模式的に示す側面図である。
【図１８】図１８は、実施形態２の刃物を模式的に示す平面図である。
【図１９】図１９は、実施形態２の刃物を模式的に示す正面図である。
【図２０】図２０は、実施形態２の刃物を模式的に示す側面図である。
【図２１】図２１は、実施形態２の刃物によって偏光板及び粘着層を剥離する状態を模式的に示す平面図である。
【図２２】図２２は、実施形態２の刃物によって偏光板及び粘着層を剥離する状態を模式的に示す正面図である。
【図２３】図２３は、実施形態２の刃物によって偏光板及び粘着層を剥離する状態を模式的に示す側面図である。
【図２４】図２４は、実施形態３の刃物を模式的に示す平面図である。
【図２５】図２５は、実施形態３の刃物を模式的に示す正面図である。
【図２６】図２６は、実施形態３の刃物を模式的に示す側面図である。
【図２７】図２７は、排出ガイドを備える実施形態３の刃物を模式的に示す平面図である。
【図２８】図２８は、排出ガイドを備えた実施形態３の刃物を模式的に示す正面図である。
【図２９】図２９は、排出ガイドを備えた実施形態３の刃物を模式的に示す側面図である。
【図３０】図３０は、排出ガイドを備えた実施形態３の刃物を模式的に示す底面図である。
【図３１】図３１は、偏光板及び粘着層を剥離する実施形態３の排出ガイドを備えた刃物を示す側面図である。
【図３２】図３２は、従来の刃物の先端部分を拡大して示す平面図である。
【図３３】図３３は、従来の刃物の先端部分を拡大して示す斜視図である。
【図３４】図３４は、従来の刃物によって偏光板を粘着層と共に剥離する状態を示す側面図である。
【図３５】図３５は、図３４における刃物の先端を拡大して示す断面図である。
【図３６】図３６は、従来の摩耗した刃物の先端を拡大して示す断面図である。
【符号の説明】
【０１０６】
Ｓ      剥離装置
１０      液晶表示パネル
１７      粘着層
１８      偏光板
２０      貼合せ基板母材
２１，２２      ガラス基板母材
２３      注入口
２５      移動ユニット
２６      移動方向
２７      ホイルカッター
３０      刃物
３２      側刃部
３３      案内部
３４      刃先
３５      基端
３６      排出ガイド
３９      除去領域
４０      スクライブ線
４１      貼合せ基板
４２      液晶セル
【図１】
2008149423.tif 000003
【図２】
2008149423.tif 000004
【図３】
2008149423.tif 000005
【図４】
2008149423.tif 000006
【図５】
2008149423.tif 000007
【図６】
2008149423.tif 000008
【図７】
2008149423.tif 000009
【図８】
2008149423.tif 000010
【図９】
2008149423.tif 000011
【図１０】
2008149423.tif 000012
【図１１】
2008149423.tif 000013
【図１２】
2008149423.tif 000014
【図１３】
2008149423.tif 000015
【図１４】
2008149423.tif 000016
【図１５】
2008149423.tif 000017
【図１６】
2008149423.tif 000018
【図１７】
2008149423.tif 000019
【図１８】
2008149423.tif 000020
【図１９】
2008149423.tif 000021
【図２０】
2008149423.tif 000022
【図２１】
2008149423.tif 000023
【図２２】
2008149423.tif 000024
【図２３】
2008149423.tif 000025
【図２４】
2008149423.tif 000026
【図２５】
2008149423.tif 000027
【図２６】
2008149423.tif 000028
【図２７】
2008149423.tif 000029
【図２８】
2008149423.tif 000030
【図２９】
2008149423.tif 000031
【図３０】
2008149423.tif 000032
【図３１】
2008149423.tif 000033
【図３２】
2008149423.tif 000034
【図３３】
2008149423.tif 000035
【図３４】
2008149423.tif 000036
【図３５】
2008149423.tif 000037
【図３６】
2008149423.tif 000038